(57)【要約】【課題】  予め特定されない時間と場所において、所定のデータ通信を行う場合において、携帯情報端末の電池電源の電力消費を低減する携帯情報端末を提供する。【解決手段】  電源部から供給される電力により、端末処理を実行するＯＮ状態と、端末処理を停止するＯＦＦ状態とを有する端末部を具備する携帯情報端末において、無線通信部が、端末部がＯＦＦ状態において、電源部から供給される電力により、データを受信し、前記通信データ記憶部に書き込む処理を実行する処理を実行する。【選択図】  図１
2005057428.tif 000002
【特許請求の範囲】
【請求項１】
電源部から供給される電力により端末処理を実行するＯＮ状態と、端末処理を停止するＯＦＦ状態とを有する端末部を具備する携帯情報端末であって、
前記端末部がＯＦＦ状態において、前記電源部から供給される電力により、データを受信し、通信データ記憶部に書き込む処理を実行する無線通信部
をさらに具備することを特徴とする携帯情報端末。
【請求項２】
電源部から供給される電力により端末処理を実行するＯＮ状態と、端末処理を停止するＯＦＦ状態とを有する端末部を具備する携帯情報端末であって、
前記端末部がＯＦＦ状態において、前記電源部から供給される電力により、通信データ記憶部が記憶する送信データを読み出して、送信する処理を実行する無線通信部
をさらに具備することを特徴とする携帯情報端末。
【請求項３】
前記端末部がＯＦＦ状態において、
前記無線通信部は、接続を待つ接続待ち状態と、データ通信を行う通信状態と、データ通信を停止する停止状態とを有する
ことを特徴とする請求項１又は請求項２に記載の携帯情報端末。
【請求項４】
前記端末部がＯＦＦ状態、かつ、前記通信状態において、
前記無線通信部は、前記電源部から供給される電力により、データを受信し、前記通信データ記憶部に書き込む処理を実行する
ことを特徴とする請求項３に記載の携帯情報端末。
【請求項５】
前記端末部がＯＦＦ状態、かつ、前記通信状態において、
前記無線通信部は、前記電源部から供給される電力により、前記通信データ記憶部が記憶する送信データを読み出して、送信する処理を実行する
ことを特徴とする請求項３に記載の携帯情報端末。
【請求項６】
前記通信データ記憶部は、前記電源部から供給される電力により、送信データ、又は、受信データを読み出す処理、又は、書き込む処理を実行するＯＮ状態と、前記通信データアクセス処理を停止するＯＦＦ状態とを有し、
前記端末部がＯＮ状態及びＯＦＦ状態において、前記送信データ及び受信データを保持する
ことを特徴とする請求項１から請求項５のいずれかの項に記載の携帯情報端末。
【請求項７】
前記端末部がＯＦＦ状態、かつ、前記接続待ち状態において、
前記無線通信部は、無線通信を停止するパワーダウンと接続待ち信号送信とを繰り返す接続待ち信号送信期間と、他の端末から接続待ち信号、又は、接続要求信号を受信する接続待ち受信期間とを交互に繰り返す
ことを特徴とする請求項３に記載の携帯情報端末。
【請求項８】
前記接続待ち受信期間に接続待ち信号を受信した場合、接続要求信号を繰り返し送信するとともに、接続要求応答信号の受信を待つ
ことを特徴とする請求項７に記載の携帯情報端末。
【請求項９】
前記接続待ち受信期間に接続要求信号を受信した場合、接続要求応答信号を送信する
ことを特徴とする請求項７に記載の携帯情報端末。
【請求項１０】
前記接続待ち状態において、
無線通信を停止する接続待ちパワーダウン状態と、接続待ち信号を送信する接続待ち信号送信状態とを交互に繰り返す接続待ち送信状態、
前記他の端末から接続待ち信号、又は、接続要求信号を受信する接続待ち受信状態、
又は、
前記他の端末へ接続要求を行う接続要求送信状態
のいずれかの状態に属する
ことを特徴とする請求項７から請求項９のいずれかの項に記載の携帯情報端末。
【請求項１１】
前記接続待ち送信状態において、
接続待ちパワーダウン時間Ｔｄの間、無線通信を停止する接続待ちパワーダウン状態と、接続待ち信号を送信する接続待ち信号送信状態とを交互に繰り返した後、接続待ち受信状態に遷移し、
前記接続待ち受信状態において、
前記接続待ち信号を受信した場合、前記他の端末へ接続要求を行う接続要求送信状態に遷移し、
前記接続要求信号を受信した場合、前記他の端末へ接続要求応答信号を送信し、前記他の端末とデータ通信を行うデータ通信状態に遷移し、
前記接続待ち受信状態への遷移から接続待ち信号受信時間Ｔｒ(ただし、Ｔｄ＜Ｔｒ)を経過後、接続待ち送信状態に遷移し、
前記接続要求送信状態において、
前記他の端末に接続要求信号を送信する接続要求信号送信状態と、接続要求応答信号受信時間Ｔｓ(ただし、Ｔｓ＜Ｔｒ)の間、前記他の端末が送信した接続要求応答信号の受信を待つ接続要求応答信号受信状態とを交互に繰り返し、前記接続要求応答信号を受信した場合、データ通信状態に遷移し、
前記接続要求送信状態への遷移から接続要求応答信号待ち時間Ｔｕ(ただし、Ｔｗ＜Ｔｕ)を経過後、前記接続待ち送信状態、もしくは、前記接続待ち受信状態に遷移する
ことを特徴とする請求項１０に記載の携帯情報端末。
【請求項１２】
電源部から供給される電力により端末処理を実行するＯＮ状態と、端末処理を停止するＯＦＦ状態とを有する端末部を具備する携帯情報端末における無線通信方法であって、
前記端末部がＯＦＦ状態において、無線通信部が、前記電源部から供給される電力により、データを受信し、通信データ記憶部に書き込む処理を実行する
ことを特徴とする無線通信方法。
【請求項１３】
電源部から供給される電力により端末処理を実行するＯＮ状態と、端末処理を停止するＯＦＦ状態とを有する端末部を具備する携帯情報端末における無線通信方法であって、
前記端末部がＯＦＦ状態において、無線通信部が、前記電源部から供給される電力により、通信データ記憶部が記憶する送信データを読み出して、送信する処理を実行する
ことを特徴とする無線通信方法。
【請求項１４】
前記端末部がＯＦＦ状態において、
前記無線通信部は、接続を待つ接続待ち状態と、データ通信を行う通信状態と、データ通信を停止する停止状態とを有する
ことを特徴とする請求項１２又は請求項１３に記載の無線通信方法。
【請求項１５】
前記端末部がＯＦＦ状態、かつ、前記通信状態において、
前記無線通信部は、前記電源部から供給される電力により、データを受信し、前記通信データ記憶部に書き込む処理を実行する
ことを特徴とする請求項１４に記載の無線通信方法。
【請求項１６】
前記端末部がＯＦＦ状態、かつ、前記通信状態において、
前記無線通信部は、前記電源部から供給される電力により、前記通信データ記憶部が記憶する送信データを読み出して、送信する処理を実行する
ことを特徴とする請求項１４に記載の無線通信方法。
【請求項１７】
前記通信データ記憶部は、前記電源部から供給される電力により、送信データ、又は、受信データを読み出す処理、又は、書き込む処理を実行するＯＮ状態と、前記通信データアクセス処理を停止するＯＦＦ状態とを有し、
前記端末部がＯＮ状態及びＯＦＦ状態において、前記送信データ及び受信データを保持する
ことを特徴とする請求項１２から請求項１６のいずれかの項に記載の無線通信方法。
【請求項１８】
前記端末部がＯＦＦ状態、かつ、前記接続待ち状態において、
前記無線通信部は、無線通信を停止するパワーダウンと接続待ち信号送信とを繰り返す接続待ち信号送信期間と、他の端末から接続待ち信号、又は、接続要求信号を受信する接続待ち受信期間とを交互に繰り返す
ことを特徴とする請求項１４に記載の無線通信方法。
【発明の詳細な説明】
【技術分野】
【０００１】
本発明は、電池電源で動作し携帯して移動することが可能な無線ＬＡＮ通信等の無線データ通信を行う携帯情報端末であって、位置が固定された固定基地局１０や他の携帯情報端末との間で無線データ通信を行う携帯情報端末に関し、特に、予め特定されない時間と場所において、所定のデータ通信を行う場合において、携帯情報端末の電池電源の電力消費を低減する携帯情報端末に関する。
【背景技術】
【０００２】
従来、電池電源で動作し携帯して移動することが可能な無線ＬＡＮ通信等の無線データ通信を行う携帯情報端末等の子機が、イーサネット（登録商標）などの有線ネットワークに接続された親機と無線データ通信を行う場合において、通信機能の低下を最小限に抑えつつ、消費電力を削減するパワーマネージメント方式が知られている。例えば、先行技術文献１には、サスペンド／レジューム機能を有するＣＰＵ並びにＲＡＭ、電源、ＣＰＵにサスペンド／レジュームを指示するためのスイッチ及び無線ＬＡＮ通信用ＬＳＩを備える無線ＬＡＮ端末のためのパワーマネージメント方式について記載されている。
【０００３】
この発明によれば、無線ＬＡＮ端末の移動に伴って無線ＬＡＮ端末が無線ＬＡＮ通信用ＬＳＩを介して通信を行う相手無線ＬＡＮブリッジを変更するローミング処理を行うためのローミング処理手段を設けることで、ＣＰＵがサスペンド中であるときに、無線ＬＡＮ通信用ＬＳＩとローミング処理手段は電源供給により動作を保ち、ＣＰＵがサスペンド中であるときに、ローミング処理手段がローミング処理を行う。
このため、ＣＰＵがサスペンド状態のままでもローミング処理が実行できる。
【特許文献１】特許第３３３８８１８号公報
【発明の開示】
【発明が解決しようとする課題】
【０００４】
従来例は、無線ＬＡＮブリッジに接続しなおす、ローミング処理において、携帯情報端末のパワーマネージメントを行う方法を示している。
しかしながら、接続待ち状態の携帯情報端末は、無線ＬＡＮブリッジが定期的にブロードキャスト送信するビーコン信号を受信するまで、受信回路に電力を継続して供給する必要があった。
すなわち、接続待ち状態において、通信を行っていないにも関わらず、受信回路において電力を消費し、電池電源を消耗するという問題があった。
【０００５】
本発明は、このような事情を考慮してなされたものであり、その目的は、予め特定されない時間と場所において、所定のデータ通信を行う場合において、携帯情報端末の電池電源の電力消費を低減する携帯情報端末を提供することにある。
【課題を解決するための手段】
【０００６】
この発明は上記の課題を解決すべくなされたもので、本発明は、電源部から供給される電力により、端末処理を実行するＯＮ状態と、端末処理を停止するＯＦＦ状態とを有する端末部を具備する携帯情報端末であって、前記端末部がＯＦＦ状態において、前記電源部から供給される電力により、データを受信し、前記通信データ記憶部に書き込む処理を実行する無線通信部をさらに具備することを特徴とする。
【０００７】
また、本発明は、電源部から供給される電力により、端末処理を実行するＯＮ状態と、端末処理を停止するＯＦＦ状態とを有する端末部を具備する携帯情報端末であって、前記端末部がＯＦＦ状態において、前記電源部から供給される電力により、前記通信データ記憶部が記憶する送信データを読み出して、送信する処理を実行する無線通信部をさらに具備することを特徴とする。
【０００８】
また、本発明は、前記端末部がＯＦＦ状態において、前記無線通信部は、接続を待つ接続待ち状態と、データ通信を行う通信状態と、データ通信を停止する停止状態とを有することを特徴とする。
【０００９】
また、本発明は、前記端末部がＯＦＦ状態、かつ、前記通信状態において、前記無線通信部は、前記電源部から供給される電力により、データを受信し、前記通信データ記憶部に書き込む処理を実行することを特徴とする。
【００１０】
また、本発明は、前記端末部がＯＦＦ状態、かつ、前記通信状態において、前記無線通信部は、前記電源部から供給される電力により、前記通信データ記憶部が記憶する送信データを読み出して、送信する処理を実行することを特徴とする。
【００１１】
また、本発明は、前記通信データ記憶部は、前記電源部から供給される電力により、送信データ、又は、受信データを読み出す処理、又は、書き込む処理を実行するＯＮ状態と、前記通信データアクセス処理を停止するＯＦＦ状態とを有し、前記端末部がＯＮ状態及びＯＦＦ状態において、前記送信データ及び受信データを保持することを特徴とする。
【００１２】
また、本発明は、前記端末部がＯＦＦ状態、かつ、前記接続待ち状態において、前記無線通信部は、無線通信を停止するパワーダウンと接続待ち信号送信とを繰り返す接続待ち信号送信期間と、他の端末から接続待ち信号、又は、接続要求信号を受信する接続待ち受信期間とを交互に繰り返すことを特徴とする。
【００１３】
また、本発明は、前記接続待ち受信期間に接続待ち信号を受信した場合、接続要求信号を繰り返し送信するとともに、接続要求応答信号の受信を待つことを特徴とする。
【００１４】
また、本発明は、前記接続待ち受信期間に接続要求信号を受信した場合、接続要求応答信号を送信することを特徴とする。
【００１５】
また、本発明は、前記接続待ち状態において、無線通信を停止する接続待ちパワーダウン状態と、接続待ち信号を送信する接続待ち信号送信状態とを交互に繰り返す接続待ち送信状態、前記他の端末から接続待ち信号、又は、接続要求信号を受信する接続待ち受信状態、又は、前記他の端末へ接続要求を行う接続要求送信状態のいずれかの状態に属することを特徴とする。
【００１６】
また、本発明は、前記接続待ち送信状態において、接続待ちパワーダウン時間Ｔｄの間、無線通信を停止する接続待ちパワーダウン状態と、接続待ち信号を送信する接続待ち信号送信状態とを交互に繰り返した後、接続待ち受信状態に遷移し、前記接続待ち受信状態において、前記接続待ち信号を受信した場合、前記他の端末へ接続要求を行う接続要求送信状態に遷移し、前記接続要求信号を受信した場合、前記他の端末へ接続要求応答信号を送信し、前記他の端末とデータ通信を行うデータ通信状態に遷移し、前記接続待ち受信状態への遷移から接続待ち信号受信時間Ｔｒ(ただし、Ｔｄ＜Ｔｒ)を経過後、接続待ち送信状態に遷移し、前記接続要求送信状態において、前記他の端末に接続要求信号を送信する接続要求信号送信状態と、接続要求応答信号受信時間Ｔｓ(ただし、Ｔｓ＜Ｔｒ)の間、前記他の端末が送信した接続要求応答信号の受信を待つ接続要求応答信号受信状態とを交互に繰り返し、前記接続要求応答信号を受信した場合、データ通信状態に遷移し、前記接続要求送信状態への遷移から接続要求応答信号待ち時間Ｔｕ(ただし、Ｔｗ＜Ｔｕ)を経過後、前記接続待ち送信状態、もしくは、前記接続待ち受信状態に遷移することを特徴とする。
【００１７】
また、本発明は、電源部から供給される電力により、端末処理を実行するＯＮ状態と、端末処理を停止するＯＦＦ状態とを有する端末部を具備する携帯情報端末における無線通信方法であって、前記端末部がＯＦＦ状態において、無線通信部が、前記電源部から供給される電力により、データを受信し、前記通信データ記憶部に書き込む処理を実行する処理を実行することを特徴とする。
【００１８】
また、本発明は、電源部から供給される電力により、端末処理を実行するＯＮ状態と、端末処理を停止するＯＦＦ状態とを有する端末部を具備する携帯情報端末における無線通信方法であって、前記端末部がＯＦＦ状態において、無線通信部が、前記電源部から供給される電力により、前記通信データ記憶部が記憶する送信データを読み出して、送信する処理を実行することを特徴とする。
【００１９】
また、本発明は、前記端末部がＯＦＦ状態において、前記無線通信部は、接続を待つ接続待ち状態と、データ通信を行う通信状態と、データ通信を停止する停止状態とを有することを特徴とする。
【００２０】
また、本発明は、前記端末部がＯＦＦ状態、かつ、前記通信状態において、前記無線通信部は、前記電源部から供給される電力により、データを受信し、前記通信データ記憶部に書き込む処理を実行することを特徴とする。
【００２１】
また、本発明は、前記端末部がＯＦＦ状態、かつ、前記通信状態において、前記無線通信部は、前記電源部から供給される電力により、前記通信データ記憶部が記憶する送信データを読み出して、送信する処理を実行することを特徴とする。
【００２２】
また、本発明は、前記通信データ記憶部は、前記電源部から供給される電力により、送信データ、又は、受信データを読み出す処理、又は、書き込む処理を実行するＯＮ状態と、前記通信データアクセス処理を停止するＯＦＦ状態とを有し、前記端末部がＯＮ状態及びＯＦＦ状態において、前記送信データ及び受信データを保持することを特徴とする。
【００２３】
また、本発明は、前記端末部がＯＦＦ状態、かつ、前記接続待ち状態において、前記無線通信部は、無線通信を停止するパワーダウンと接続待ち信号送信とを繰り返す接続待ち信号送信期間と、他の端末から接続待ち信号、又は、接続要求信号を受信する接続待ち受信期間とを交互に繰り返すことを特徴とする。
【発明の効果】
【００２４】
以上説明したように、本発明によれば、電源部から供給される電力により、端末処理を実行するＯＮ状態と、端末処理を停止するＯＦＦ状態とを有する端末部を具備する携帯情報端末において、無線通信部が、端末部がＯＦＦ状態において、電源部から供給される電力により、データを受信し、前記通信データ記憶部に書き込む処理を実行する処理を実行する。
したがって、無線通信に関与しない端末部をＯＦＦ状態にしたままでデータ受信ができる効果が得られる。また、端末部がＯＮ状態であることによる電池電源の電力消費を低減することができる効果が得られる。
【００２５】
また、本発明によれば、電源部から供給される電力により、端末処理を実行するＯＮ状態と、端末処理を停止するＯＦＦ状態とを有する端末部を具備する携帯情報端末において、無線通信部が、端末部がＯＦＦ状態において、電源部から供給される電力により、通信データ記憶部が記憶する送信データを読み出して、送信する処理を実行する。
したがって、無線通信に関与しない端末部をＯＦＦ状態にしたままでデータ送信ができる効果が得られる。また、端末部がＯＮ状態であることによる電池電源の電力消費を低減することができる効果が得られる。
【００２６】
また、本発明によれば、端末部がＯＦＦ状態において、無線通信部は、接続を待つ接続待ち状態と、データ通信を行う通信状態と、データ通信を停止する停止状態とを有する。
したがって、端末部がＯＦＦ状態において、さらに、無線通信部がＯＮ状態であることによる電池電源の電力消費をさらに低減することができる効果が得られる。
【００２７】
また、本発明によれば、携帯情報端末が、他の端末とのデータ通信開始前において、無線通信を停止するパワーダウンと接続待ち信号送信とを繰り返す接続待ち信号送信期間と、携帯情報端末から接続待ち信号、又は、接続要求信号を受信する接続待ち受信期間とを交互に繰り返す。
したがって、無線通信が可能な距離が限定される場合に、未接続の携帯情報端末が他の端末と接続するまでの携帯情報端末の電池電源の電力消費を低減することができる効果が得られる。
【００２８】
また、本発明によれば、携帯情報端末は、接続待ち送信状態において、接続待ちパワーダウン時間Ｔｄの間、無線通信を停止する接続待ちパワーダウン状態と、接続待ち信号を送信する接続待ち信号送信状態とを、接続待ち時間Ｔｗの間、交互に繰り返した後、接続待ち受信状態に遷移し、接続待ち受信状態において、接続待ち信号を受信した場合、携帯情報端末へ接続要求を行う接続要求送信状態に遷移し、接続要求信号を受信した場合、携帯情報端末へ接続要求応答信号を送信し、携帯情報端末とデータ通信を行うデータ通信状態に遷移し、接続待ち受信状態への遷移から接続待ち信号受信時間Ｔｒ(ただし、Ｔｄ＜Ｔｒ)を経過後、接続待ち送信状態に遷移し、接続要求送信状態において、携帯情報端末に接続要求信号を送信する接続要求信号送信状態と、接続要求応答信号受信時間Ｔｓ（ただし、Ｔｓ＜Ｔｒ）の間、携帯情報端末が送信した接続要求応答信号の受信を待つ接続要求応答信号受信状態とを交互に繰り返し、接続要求応答信号を受信した場合、データ通信状態に遷移し、接続要求送信状態への遷移から接続要求応答信号待ち時間Ｔｕ(ただし、Ｔｗ＜Ｔｕ)を経過後、接続待ち送信状態、もしくは、前記接続待ち受信状態に遷移する。
したがって、通信を行う２つの携帯情報端末において、先に相手を見つけた携帯情報端末と、他方の携帯情報端末とで、動作が異なる期間が、短時間であるため、従来の無線ＬＡＮブリッジと携帯情報端末との関係とは異なって、ほとんど消費電力の差は生じず、どちらも消費電力を低減することができる効果が得られる。
【発明を実施するための最良の形態】
【００２９】
以下、本発明を実施するための最良の形態について説明する。
【実施例１】
【００３０】
以下、図面を参照して、本発明の携帯情報端末の一実施形態について説明する。図１は、本実施形態の携帯情報端末１の構成図である。
本実施形態の携帯情報端末１は、端末部１００と、電源部１１０と、無線通信部１２０と、通信データ記憶部１３０とから構成される。
端末部１００は、データ処理部１０１と、表示部１０２と、操作部１０３と、記憶部１０４とから構成され、電源部１１０から供給される電力により端末処理を実行する。
ここで、端末部１００が実行する端末処理とは、通信データ記憶部１３０や記憶部１０４が保持するデータに対するデータ処理部１０１のデータ処理や、このデータ処理結果を操作部１０３（電源ボタン、カーソルボタン等）における入力に基づいて表示する表示部１０２（ディスプレイ）の表示処理等、携帯情報端末１としての主たる機能を実現するための処理である。
また、端末部１００は、電源部１１０から供給される電力により端末処理を実行するＯＮ状態と、端末処理の停止により電源部１１０から供給される電力の消費を抑制するＯＦＦ状態とを有しており、ＯＮ状態において、端末部１００は、通信データ記憶部１３０が記憶する受信データをデータバス２を介して読み出す受信データ読み出し処理と、端末部１００が生成した送信データを内部バスを介して記憶部１０４に書き込む送信データ書き込み処理とを実行する。
【００３１】
電源部１１０は、端末部１００と、無線通信部１２０と、通信データ記憶部１３０とに電力を供給する。また、電源部１１０は、記憶部１０４と無線通信部１２０については、端末部１００がＯＮ状態である場合及びＯＦＦ状態である場合のいずれの状態においても、電力の供給を行うが、端末部１００については、ＯＮ状態である場合に限り、電力の供給を行い、ＯＦＦ状態である場合、電力供給を抑制する。
【００３２】
無線通信部１２０は、無線通信により受信した通信データをデータバス１を介して通信データ記憶部１３０に書き込み、通信データ記憶部１３０に保持された通信データを無線通信により送信する。また、無線通信部１２０は、端末部１００がＯＦＦ状態である場合において、データ通信を開始するために接続を待つ接続待ち状態と、データ通信を行う通信状態と、データ通信を行う必要がない停止状態との各状態を有する。
具体的には、無線通信部１２０は、無線インタフェース部１２１と、無線信号処理部１２２とから構成される。
無線インタフェース部１２１は、他の携帯情報端末が放射する無線電波を受信して、無線信号処理部１２２に出力するとともに、無線信号処理部１２２から入力される送信信号を無線電波に変換し、他の携帯情報端末に対して送信する。また、無線インタフェース部１２１は、無線信号処理部１２２から入力されたパワーダウン信号に応じて、無線電波の送受信を停止し、電力消費レベルを低下させる。
無線信号処理部１２２は、無線インタフェース部１２１から入力する受信データをデータバス１を介して通信データ記憶部１３０に書き込むとともに、通信データ記憶部１３０から読み込む送信データを無線インタフェース部１２１へ出力する。また、無線信号処理部１２２は、パワーマネージメント手段１２３を有し、無線インタフェース部１２１、通信データ記憶部１３０の状態に応じて、無線インタフェース部１２１、通信データ記憶部１３０が消費する電力を制御するパワーダウン信号を出力する。
【００３３】
通信データ記憶部１３０は、通信データ（送信データ、受信データ）を保持する。すなわち、通信データ記憶部１３０は、端末部１００がＯＦＦ状態において、通信状態の無線通信部１２０が無線通信により受信した受信データを書き込む受信データ書き込み処理を実行する。また、通信データ記憶部１３０は、端末部１００がＯＦＦ状態において、記憶する送信データを読み出す送信データ読み出し処理を実行し、無線通信部１２０を介して、無線通信により送信データを送信する。
さらに、通信データ記憶部１３０は、ＯＮ状態とＯＦＦ状態を有しており、ＯＮ状態において、電源部１１０から供給される電力により、記憶する送信データまたは受信データの、読み出しまたは書き込みを行う通信データアクセス処理を実行し、ＯＦＦ状態において、通信データアクセス処理の停止により、電源部１１０から供給される電力の消費を抑制する。
なお、通信データ記憶部１３０は、ＯＮ状熊とＯＦＦ状態のいずれの状態においても、通信データ記憶部１３０が記憶する送信データおよび受信データを保持する。
また、通信データ記憶部１３０は、無線通信部１２０の状態に応じて、無線通信部１２０のパワーマネージメント手段１２３が出力するパワーダウン信号により、ＯＮ状態及びＯＦＦ状態を制御する。
【００３４】
次に、端末部１００、電源部１１０、無線通信部１２０、通信データ記憶部１３０の接続関係について説明する。
無線通信部１２０と通信データ記憶部１３０とは、データバス１により接続され、通信データ記憶部１３０と端末部１００とは、データバス２により接続され、端末部１００がＯＦＦ状態において、無線通信部１２０は、データバス１を介して、受信した通信データを通信データ記憶部１３０に書き込み、送信する通信データを通信データ記憶部１３０から読み出す。
また、電源部１１０と、端末部１００、無線通信部１２０及び通信データ記憶部１３０とは、電源線を介して接続され、端末部１００がＯＮ状態において、電源部１１０は、端末部１００、無線通信部１２０及び通信データ記憶部１３０に電力を供給し、端末部１００がＯＦＦ状態において、端末部１００に供給する電力を制限する。一方、端末部１００がＯＦＦ状態において、電源部１１０は、端末部１００がＯＮ状態の場合と同様に、無線通信部１２０及び通信データ記憶部１３０に電力を供給する。
【００３５】
図２は、本発明の携帯情報端末の第２の実施形態における構成図を示す。
本実施形態の携帯情報端末１について、基本的な構成（端末部１００と、電源部１１０と、無線通信部１２０と、通信データ記憶部１３０とから構成されること等）は、図１における構成図と同じであるため省略する。
すなわち、本実施形態の携帯情報端末１が、第１の実施形態の携帯情報端末１と異なる点は、端末部１００、無線通信部１２０、通信データ記憶部１３０が、データバス１、２ではなく、データバス３により接続されている点である。
端末部１００、無線通信部１２０、通信データ記憶部１３０は、データバス３により接続され、端末部１００がＯＮ状態において、端末部１００がバスマスタとして動作することにより、無線通信部１２０や通信データ記憶部１３０へのアクセスを行う。
これにより、端末部１００は、無線通信部１２０を介して無線通信を行うとともに、通信データ記憶部１３０の記憶空き領域へのデータ書き込み、通信データ記憶部１３０が保持するデータの読み出しを実行する。
また、端末部１００がＯＦＦ状態において、無線通信部１２０は、バスマスタとして動作し、端末部１００を介さず、無線通信部１２０が受信した通信データを通信データ記憶部１３０に書き込む。同様に、無線通信部１２０は、端末部１００を介さず、送信する通信データを通信データ記憶部１３０から読み出す。
【００３６】
図３は、第１、２の実施形態の携帯情報端末１の外観図を示す。
図３に示す携帯情報端末１は、図１に示す第１の実施形態、図２に示す第２の実施形態に従った構成であり、端末部１００と電源部１１０を備える端末機器３と、端末機器３に着脱可能であって、無線通信部１２０と通信データ記憶部１３０を備える無線カード４から構成される。
無線カード４は、さらに、無線通信部１２０と通信データ記憶部１３０に電力を供給する電源部を内部に搭載し、端末機器３と分離して、無線カード４単体で無線により通信を行う。またこの構成において、無線カード４内の電源部は、充電可能なバッテリとし、無線カード４を端末機器３に接続したとき、端末機器３内の電源部１１０から電力を供給し、充電する。
【００３７】
端末機器３と、端末機器３に装着された無線カード４とは、データバス・電源線により接続され、データバスを介して、端末機器３が電源ＯＮ（端末部１００がＯＮ状態）のとき、通信データ記憶部１３０が記憶する受信データを読み出す受信データ読み出し処理と、端末部１００が生成した送信データを記憶部１０４に書き込む送信データ書き込み処理と、を実行する。
端末機器３はパーソナルコンピュータ・ＰＤＡ・携帯電話等であり、これらの機器が、汎用のデータバス、例えばＰＣカード・Ｃｏｍｐａｃｔ  Ｆｌａｓｈ・ＳＤＩＯカード用のデータバスを備える無線カード４を装着する。
このように構成することにより、端末部１００の電源をＯＦＦにした状態（端末部１００がＯＦＦ状態）で、無線カード４が、固定基地局１０や別の端末を探索し、無線通信を行い、通信データを記憶しておくことができる。
したがって、ユーザは、端末部１００の電源をＯＦＦにした状態で携帯情報端末１を持ち歩くだけで、予め指定した通信データの送受信を行うことができる効果が得られる。
また、このとき、通信に不要な端末部１００の消費電力を削減することができる効果が得られる。
さらに、無線通信の開始・終了に応じた端末部１００の操作（例えば電源ＯＮｏＦＦや無線通信の開始ボタンの操作）が不要であるため、取り扱いの容易化を図ることが出来る効果が得られる。
【００３８】
次に、図面を参照して、本実施形態の携帯情報端末１による第１の通信形態について説明する。
図４は、ユーザが固定基地局１０の近くを通過したとき、携帯情報端末１と固定基地局１０との間で行われるデータ通信例を示している。
本通信形態におけるデータ通信の目的は、予めユーザが携帯情報端末１を操作することによって指定したコンテンツを固定基地局１０からダウンロードすること、ユーザが指定したメールの送信とユーザへのメールの受信とを行うこと等が考えられる。
【００３９】
次に、本通信形態における携帯情報端末１と固定基地局１０の動作を説明する。
まず人（携帯情報端末１のユーザ）により保持された状態で携帯情報端末１が、地点Ａから地点Ｄに向かって移動する。移動手段は、徒歩のほかに、車や電車に乗車中の移動も含まれる。
このとき、固定基地局１０は地点Ｅに固定されている。
地点Ａから地点Ｂに至るまで、携帯情報端末１は、固定基地局１０との接続を待つ接続待ち状態である。また、固定基地局１０は、携帯情報端末１との接続を待つ接続待ち状態である。
携帯情報端末１が地点Ｂに至ると、携帯情報端末１と固定基地局１０とは、互いに通信可能範囲に入り、接続を行う。
携帯情報端末１は通信状態となり、固定基地局１０とデータ通信を開始し、データ通信が完了するまで通信を継続する。
データ通信が完了すると、携帯情報端末１は停止状態に入る。また、固定基地局１０は、他の携帯情報端末との接続を待つ接続待ち状態に入る。
携帯情報端末１が地点Ｃに至ると、携帯情報端末１と固定基地局１０とは、互いに通信可能範囲から外れる。この地点に到達するまでに、データ通信を完了しなかった場合、携帯情報端末１は、通信断となり、再び他の固定基地局１０との接続を待つ、接続待ち状態に入る。また、固定基地局１０は、携帯情報端末１との接続を待つ接続待ち状態に入る。
【００４０】
したがって、固定基地局１０を駅改札口・バス停・建物入り口等、特定のユーザが毎日通過する地点に設置し、ユーザが携帯情報端末１を持ち歩くことにより、ユーザが意識することなく確実に、指定のコンテンツ（例えばユーザが購読する新聞）をダウンロードしたり、メールの送受信を行うことができる効果が得られる。
【００４１】
次に、携帯情報端末１による第２の通信形態について説明する。
図５は、携帯情報端末１を持ち歩く、複数のユーザ同士が接近したとき、複数（図では２台）の携帯情報端末１間で行われるデータ通信例を示している。
本通信形態におけるデータ通信の目的は、ユーザが保有するコンテンツ等のファイルのうち、予め他方のユーザが携帯情報端末１を操作することによって指定した、ファイルの交換を行うこと等が考えられる。
【００４２】
次に、本通信形態における携帯情報端末１の動作を説明する。
まず人により保持された携帯情報端末１が、地点Ａから地点Ｄに向かって移動する。また、別の人により保持された携帯情報端末２が、地点Ａ’から地点Ｄ’に向かって移動する。
地点Ａから地点Ｂに至るまで、携帯情報端末１は、他の携帯情報端末との接続を待つ、接続待ち状態である。また同様に、地点Ａ’から地点Ｂ’に至るまで、携帯情報端末２は、他の携帯情報端末との接続を待つ接続待ち状態である。
携帯情報端末１が地点Ｂに至り、携帯情報端末２が地点Ｂ’に至ると、携帯情報端末１と、携帯情報端末２とは、互いに通信可能範囲に入り、接続を行う。携帯情報端末１は通信状態となり、互いにデータ通信を開始し、データ通信が完了するまで通信を継続する。
データ通信が完了した携帯情報端末１は停止状態に入る。
携帯情報端末１が地点Ｃに至り、携帯情報端末２が地点Ｃ’に至ると、携帯情報端末１と、携帯情報端末２とは、互いに通信可能範囲から外れる。この地点に到達するまでに、データ通信を完了しなかった場合、携帯情報端末１、２は、接続断となり、再び他の携帯情報端末との接続を待つ、接続待ち状態に入る。
【００４３】
したがって、複数のユーザが、携帯情報端末１、２を持ち歩くことにより、複数のユーザが情報を共有することが出来る効果が得られる。すなわち、例えば、複数のユーザが、携帯情報端末１、２を街中で持ち歩くことにより、その街のタウン情報をユーザ間で共有することができる効果が得られる。
【００４４】
図６（a）は、本実施形態の携帯情報端末１における端末部１００の状態遷移図である。端末部１００は、電源部１１０から供給される電力により端末処理を実施するＯＮ状態と、端末処理の停止により電源部から供給される電力の消費を抑制するＯＦＦ状態とを輸している。
具体的には、ＯＮ状態において、端末部１００は、電源部１１０から供給される電力により、端末処理を実行する。通信データ記憶部１３０が記憶する受信データを記憶部１０４から読み出す受信データ読み出し処理と、端末部１００が生成した送信データを記憶部１０４に書き込む送信データ書き込み処理とを実行する。
また、ＯＦＦ状態において、端末部１００は、端末処理の停止により、電源部１１０から供給される電力の消費を抑制する。なお、通信データ記憶部１３０と無線通信部１２０とは、端末部１００がＯＮ状態、又は、ＯＦＦ状態のいずれの状態であっても、電源部１１０から電力の供給を受けている。
【００４５】
この端末部１００のＯＮ状態−ＯＦＦ状態間の遷移条件は、ユーザによる端末部１００の電源ボタンの操作によって行われ、端末部１００が備える自動電源ＯＮｏＦＦ機構は、例えば、一定時間操作部の操作が無かったとき電源をＯＦＦにすること、タイマーをセットしておきタイマー終了時に電源をＯＮにすること、端末部１００をＯＮするためのウェイクアップ信号を受信すること等によって構成される。
また、自動電源ＯＮｏＦＦ機構は、端末部１００がＯＦＦ状態においてデータ通信が完了したことを端末部１００に通知し、これによって端末部１００がＯＮ状態に遷移する機構によっても実現可能である。
【００４６】
図６（ｂ）は、本実施形態の携帯情報端末１における無線通信部１２０の状態遷移図である。
図６（ｂ）に示すように、無線通信部１２０は、端末部１００のＯＮ状態、ＯＦＦ状態において、異なる状態遷移を採る。すなわち、端末部１００がＯＮ状態において、無線通信部１２０は、通信を行わない（図１のデータバス構成の場合）。ただし、上述した図２に示すバス構成によれば、端末部１００の制御により、データ通信を行うことも考えられる。
また、端末部１００がＯＦＦ状態において、無線通信部１２０は、パワーマネージメント手段１２３を利用して、各状態（接続待ち状態、通信状態、又は、停止状態のいずれか）において、異なる電力制御を行う。
また、接続待ち状態において、無線通信部１２０は、データ通信を開始するために接続を待つ。
また、通信状態において、無線通信部１２０は、データ受信処理、受信データを通信データ記憶部１３０に書き込む受信データ書き込み処理、または、通信データ記憶部１３０が記憶する送信データを通信データ記憶部１３０から読み出す送信データ読み出し処理、データ送信処理を実行する。
また、停止状態において、無線通信部１２０は、データ通信を停止する。
【００４７】
以下、それぞれの状態遷移を発火するトリガイベントについて説明する。
図６（ｂ）に示すように、端末部ＯＮ状態（無線通信部１２０による通信停止）から端末部ＯＦＦ状態（無線通信部１２０による通信開始）への状態遷移を発火するトリガイベントは、端末部１００の電源ＯＦＦであり、逆も同様である。
端末部ＯＦＦ状態において、接続待ち状態から通信状態への状態遷移を発火するトリガイベントは、固定基地局１０、他の無線移動端末２との接続確立であり、通信状態から接続待ち状態への状態遷移を発火するトリガイベントは、接続中の無線移動端末との接続断の検出となる。また、接続待ち状態から停止状態への状態遷移を発火するトリガイベントは、通信データが無い（データ通信が不要）であることである。
また、通信状態から通信停止状態への状態遷移を発火するトリガイベントは、データ通信の完了となる。
また、停止状態から端末部ＯＮ状態への状態遷移を発火するトリガイベントは、端末部１００の電源ＯＮである。
【００４８】
なお、通信状態において、データ通信が完了したとき、無線通信部１２０は、予め備えられたＬＥＤやスピーカ等を用いて、ランプを一定時間点灯させたり、ブザー音を一定時間鳴らし、ユーザにこれを通知する。また、無線通信部１２０は、端末部１００にデータ通信完了を通知するとともに、端末部１００に電源をＯＮにし（すなわち停止状態ではなく、端末部１００の電源ＯＮ状態に遷移）、さらに、通信データ等の表示を行うように制御信号を出力するようにしてもよい。
【００４９】
図７は、図６に示す無線通信部１２０の状態遷移の例を示すタイムチャートである。図７において、矢印方向が時間の進行方向を示す。
今、端末部ＯＮ状態において、端末部１００が無線通信部１２０に、通信すべき通信データを指定すると、無線通信部１２０はこの通信データの指定を保持する。
なお、このとき指定される内容は、例えば、コンテンツダウンロードであれば、ダウンロードするコンテンツファイルのＩＤが指定され、メールの送受信であれば、新着メールの受信と未送信メールの送信などが指定されることとなる。このとき、通信データの送信が指定されていれば、端末部１００は、通信データ記憶部１３０に送信データを書きこむ。
そして、端末部１００は、無線通信部１２０に無線通信のための各種設定（通信相手の機器ＩＤなど）を合わせて行う。また、通信すべき通信データの指示や、無線通信のための各種設定の情報は、無線通信部１２０に対して直接出力するのではなく、通信データ記憶部１３０に予め定められた方式に従って記録しておく。
【００５０】
次に、端末部１００がＯＦＦ状態に遷移すると、無線通信部１２０は、通信データ記憶部１３０から、これらの情報を読み取って、接続待ち処理やデータ通信処理を行う。
すなわち、無線通信部１２０は、まず通信相手を見つけるための接続待ち処理を行う。
このとき、パワーマネージメント手段１２３は、接続待ち状態時のパワーマネージメント処理を実行する。すなわち、パワーマネージメント手段１２３は、断続的な無線通信停止によるパワーダウンにより、無線通信部１２０の消費電力を削減する。また、パワーマネージメント手段１２３は、通信データ記憶部１３０の読み書きを停止し、通信データ記憶部１３０のパワーダウンを行う。ただし、通信データ記憶部１３０において、記憶されたデータを保持するため、パワーダウンは行わない。
なお、端末部１００から通信すべき通信データを指示されていない場合、無線通信部１２０は、停止状態に遷移する。
【００５１】
次に、通信相手との接続が完了すると、無線通信部１２０は、端末部ＯＦＦ状態において、通信状態に遷移し、通信相手とデータ通信を行う。
すなわち、無線通信部１２０は、無線通信により通信データを受信して、受信データを通信データ記憶部１３０に書き込む受信データ書き込み処理を行う。また、無線通信部１２０は、通信データ記憶部１３０が記憶する送信データを通信データ記憶部１３０から読み出す送信データ読み出し処理を行い、無線通信により通信データを送信する。
【００５２】
そして、データ通信が完了すると、無線通信部１２０は、端末部ＯＦＦ状態において、停止状態に遷移し、通信を停止する。このとき、パワーマネージメント手段１２３は、継続的なパワーダウンにより無線通信部１２０の消費電力を削減する。
また、無線通信部１２０は、通信データ記憶部１３０の読み書きを停止する。このとき、パワーマネージメント手段１２３は、同様に、通信データ記憶部１３０のパワーダウンを行う。ただし、通信データ記憶部１３０において、記憶されたデータを保持するため、パワーダウンは行わない。
なお、データ通信を完了しないうちに通信断が検出された場合、無線通信部１２０は、通信停止状態ではなく、接続待ち状態に遷移し、データ通信を再開するため再度通信相手を見つける接続待ち処理を行う。
【００５３】
一方、ユーザが端末部１００の操作部１０３を操作することで、再度、端末部１００の電源がＯＮ状態となると、端末部１００は、通信データ記憶部１３０に保持された通信データを読み出し、端末処理を行う。このとき、端末処理として、ユーザの操作部による指示に応じて、内容を表示する。
以上の状態遷移によって、携帯情報端末１は、消費電力を削減することが出来る効果が得られる。
【００５４】
次に、図４に示す通信形態を実現するための固定基地局１０および携帯情報端末１の動作について、図８（ａ）、（ｂ）に示す状態遷移図を参照して説明する。
図８（ａ）は、固定基地局１０の状態遷移図である。図８において、Ｔｓ、Ｔｒ、Ｔｄは、それぞれ
Ｔｓ：接続待ち信号送信時間    
Ｔｒ：接続待ち信号受信時間    （ただし、Ｔｒ≧Ｔｓ）
Ｔｄ：接続待ちパワーダウン時間
を示す。
図８（ａ）に示すように、固定基地局１０は、接続待ち状態と通信状態とを有している。
接続待ち状態において、固定基地局１０は、接続待ち信号送信時間Ｔｓに少なくとも１回、接続待ち信号を、無線によりブロードキャスト送信し、携帯情報端末１から接続待ち信号に対する接続要求信号を受信したとき、データ通信状態に遷移する。
また、通信状態において、固定基地局１０は、携帯情報端末１に指定されたデータの通信を行い、データの通信の終了により、接続待ち状態に遷移する。
すなわち、固定基地局１０において、接続待ち状態から通信状態への状態遷移を発火するトリガイベントは、接続要求信号の受信であり、通信状態から接続待ち状態への状態遷移を発火するトリガイベントは、接続中の無線移動端末との接続断の検出、又は、データ通信の完了となる。
【００５５】
また、図８（ｂ）に示すように、無線通信部１２０は、端末部１００がＯＦＦ状態において、接続待ち状態、通信状態、停止状態を有しており、さらに、接続待ち状態を接続待ちパワーダウン状態と接続待ち通信状態とから構成する。
以下、図６（ｂ）に示す状態遷移と同様の部分については説明を省略し、異なる部分について説明する。
今、携帯情報端末１が停止状態にあるものとする。このとき、携帯情報端末１は、固定基地局１０との間で無線通信を停止し、無線通信部１２０の電力消費レベルを低下させる。
そして、端末部１００がＯＮ状態に遷移し、通信データが生成されると、次回、端末部１００がＯＦＦ状態に遷移した時点で、通信すべき通信データを有することから、接続待ち状態に遷移する。
ここで、接続待ち状態において、無線通信部１２０は、接続待ちパワーダウン時間Ｔｄの間、固定基地局１０と携帯情報端末１間の無線通信を停止し、携帯情報端末１の電力消費レベルを低下させる接続待ちパワーダウン状態と、接続待ち信号受信時間Ｔｒの間、接続待ち信号の受信を待つ接続待ち通信状態との２つの状態を、接続待ち信号を受信するまで、交互に繰り返す。
すなわち、接続待ちパワーダウン状態から接続待ち通信状態への状態遷移を発火するトリガイベントは、接続待ちパワーダウン時間Ｔｄの経過であり、接続待ち通信状態から接続待ちパワーダウン状態への状態遷移を発火するトリガイベントは、接続待ち信号を未受信のまま、接続待ち信号受信時間Ｔｒが経過することである。
そして、接続待ち通信状態において、接続待ち信号を受信したとき、無線通信部１２０は、接続要求信号を、接続待ち信号送信元の固定基地局１０に送信して、通信状態に遷移する。
通信状態において、携帯情報端末１は、携帯情報端末１に指定されたデータの通信を行い、データの通信の終了により、停止状態に遷移する。
【００５６】
図９は、図８に示す状態遷移における携帯情報端末１と固定基地局１０との間の送受信信号を示すタイムチャートである。
図９において、ユーザは、図４に示すように、地点Ａから地点Ｂに向かって移動しているものとする。すなわち、ユーザは、操作部を操作して、予め携帯情報端末１に通信すべきデータを指定し、端末部１００の電源をＯＦＦにして、移動を開始する。
携帯情報端末１において、無線通信部１２０は、端末部ＯＦＦ状態において、通信すべきデータの有無を検査して、この場合、接続待ち状態に遷移する。
そして、無線通信部１２０は、接続待ちパワーダウン時間Ｔｄの間、固定基地局１０と携帯情報端末１間の無線通信を停止し、携帯情報端末１の電力消費レベルを低下させる接続待ちパワーダウン状態と、接続待ち信号受信時間Ｔｒの間、接続待ち信号の受信を待つ接続待ち通信状態との２つの状態を、接続待ち信号を受信するまで、交互に繰り返す。
一方、固定基地局１０においても、同様に、接続待ち信号送信時間Ｔｓに少なくとも１回、接続待ち信号を、無線によりブロードキャスト送信し、携帯情報端末１から接続待ち信号に対する接続要求信号を受信したとき、データ通信状態に遷移する。
【００５７】
図９において、地点Ｂに至るまでは固定基地局１０と携帯情報端末１との間が遠く、固定基地局１０が放射する接続待ち信号は、減衰のため、無線通信部１２０において受信される受信強度が低く、接続待ち信号受信時間Ｔｒの間に、接続待ち信号を受信することできず、接続待ちパワーダウン状態と、接続待ち通信状態とを交互に繰り返しつづける。
そして、固定基地局１０と携帯情報端末１との間が近づくと、接続待ち信号の受信強度が所定のレベルに達し、接続待ち信号受信時間Ｔｒの間に、無線通信部１２０は、接続待ち信号を受信する。固定基地局１０からの接続待ち信号受信を受けて、無線通信部１２０は、固定基地局１０に接続要求信号を送信し、固定基地局１０と携帯情報端末１との間で、携帯情報端末１が指定したデータの送受信を開始する。そして、データ通信が完了すると、携帯情報端末１、固定基地局１０は、データ通信を停止する。
【００５８】
次に、図８（ａ）に示す状態遷移を実現するための固定基地局１０の動作について、図１０に示すフローチャートを参照して説明する。
固定基地局１０は、接続待ち信号送信時間Ｔｓを計測するタイマー（以下Ｔｓタイマーという）を開始し（ステップＳａ１）、Ｔｓタイマの時間が終了するまで、繰り返し携帯情報端末１から接続要求信号の受信があったか否かをチェックする（ステップＳａ２、Ｓａ３）。そして、接続要求信号の受信があった場合は、その信号を送信した携帯情報端末１とデータ通信を行う（ステップＳａ４）。また、接続待ち信号送信時間Ｔｓの間、接続要求信号の受信がなかった場合、Ｔｓタイマ時間が終了後接続待ち信号のブロードキャスト送信を行い（ステップＳａ５）、ステップＳａ１へ戻る。
【００５９】
このように、他の携帯情報端末１と通信を行っていない期間において、固定基地局１０は、接続待ち信号送信時間Ｔｓ間隔で接続待ち信号をブロードキャスト送信し、携帯情報端末１は、この接続待ち信号を受信して、固定基地局１０の存在を知る。
ここで、接続待ち信号受信時間Ｔｒを接続待ち信号送信時間Ｔｓより長く設定し、固定基地局１０と通信可能な携帯情報端末１が、接続待ち信号受信時間Ｔｒの間に継続して接続待ち信号の受信を待つことにより、確実に、固定基地局１０からの接続待ち信号を受信できる効果が得られる。
また、これにより、携帯情報端末１は、携帯情報端末１が固定基地局１０を短時間で（Ｔｒ内で）見つけることができることから、固定基地局１０に接続するまでに消費する電力を削減できる効果が得られる。
【００６０】
次に、図８（ｂ）に示す状態遷移を実現するための携帯情報端末１の動作について、図１１に示すフローチャートを参照して説明する。
携帯情報端末１は、まず、パワーダウン状態値を”１”に設定する（ステップＳｅ１）。このパワーダウン状態値が”１”に設定されると、パワーダウン信号が無線部１１へ出力され、パワーダウンが実施される。次に、携帯情報端末１は通信すべきデータが指定されているか否かを判断し（ステップＳｅ２−１）、指定されていない場合はステップＳｅ１へ戻り、以後、通信すべきデータが指定されるまでステップＳｅ１、Ｓｅ２−１を繰り返す。
そして、通信すべきデータが指定された時は、端末部１００がＯＦＦ状態であるか否かを判断し（ステップＳｅ２−２）、ＯＦＦ状態でない場合は、端末部１００がＯＮ状態における無線通信処理を実行した後（ステップＳｅ２−３）、端末部１００がＯＦＦ状態になったことから、ステップＳｅ１へ戻り、再度、ルーチンを繰り返す。
ステップＳｅ２−２において、端末部１００がＯＦＦ状態であると判断されると（ステップＳｅ２−２でＹｅｓ）、Ｔｄタイマーを開始し（ステップＳｅ３）、以後、Ｔｄタイマーの終了を待つ（ステップＳｅ４）。
そして、Ｔｄタイマーの時間が経過した時点で（ステップＳｅ４がＹｅｓ）、パワーダウン状態値を”０”に設定する（ステップＳｅ５）。パワーダウン状態値が”０”に設定されると、パワーダウン状態が解除される。
【００６１】
次に、携帯情報端末１はＴｒタイマーを開始する（ステップＳｅ６）。以後、Ｔｒタイマーが終了するまで、固定基地局１０からの接続待ち信号の受信を待つ（ステップＳｅ７、Ｓｅ８）。そして、接続待ち信号の受信があった場合は（ステップＳｅ７がＹｅｓ）、固定基地局１０へ接続要求信号を送信し（ステップＳｅ９）、次いで、固定基地局１０とデータ通信を行う（ステップＳｅ１０）。また、Ｔｒタイマーが終了するまで、固定基地局１０からの接続待ち信号の受信がなかった場合はステップＳｅ１へ戻る。
【００６２】
このように、携帯情報端末１が時間Ｔｄのパワーダウンと、時間Ｔｒの固定基地局１０の検出（接続待ち信号の受信）を繰り返すため、固定基地局１０を常時検出する場合と比較して、固定基地局１０に接続するまでに消費する電力を削減できる効果が得られる。
また、Ｔｒ＞Ｔｓとし、固定基地局１０と通信可能な携帯情報端末１がＴｒの期間に継続して受信を待つことにより、確実に、固定基地局１０からの接続待ち信号を受信できる。また、移動する携帯情報端末１において、通信可能エリアを通過する時間よりもＴｄを十分小さくすることにより、実用上問題ない遅延で固定基地局１０を検出できる効果が得られる。
【００６３】
次に、図５に示す通信形態を実現するための携帯情報端末１、２の動作について、図１２に示す状態遷移図を参照して説明する。
図１２は、携帯情報端末１、２の状態遷移図である。図１２において、Ｔｗ、Ｔｄ、Ｔｒ、Ｔｓ、Ｔｕは、それぞれ
Ｔｗ：接続待ち時間
Ｔｄ：接続待ちパワーダウン時間（ただし、Ｔｄ＜Ｔｗ）
Ｔｒ：接続待ち信号受信時間    （ただし、Ｔｒ＞Ｔｄ）
Ｔｓ：接続要求応答信号受信時間（ただし、Ｔｓ＜Ｔｒ）
Ｔｕ：接続要求応答信号待ち時間（ただし、Ｔｕ＞Ｔｗ）
を示す。
図８に状態遷移と同様に、無線移動端末１、２は、接続待ち状態、データ通信状態、通信休止状態を有している。
接続待ち状態とは、通信すべきデータが存在し、他の無線移動端末と未接続である状態を示す。
また、データ通信状態とは、接続中の無線移動端末とデータ通信を行う状態を示す。
また、通信休止状態とは、通信すべきデータが存在せず、無線通信を停止することによって、電力消費レベルを低下させている状態を示す。
【００６４】
図１３は、無線移動端末１が地点Ａから地点Ｄへ、無線移動端末２が地点Ａ’から地点Ｄ’へ移動する間における状態遷移及び信号送受信タイミングを示すタイムチャートである。
図１３に示すように、無線移動端末１、２は、他の無線移動端末と未接続である接続待ち状態と、接続中の無線移動端末とデータ通信を行うデータ通信状態と、接続中の無線移動端末とデータ通信を休止している通信休止状態とを有しており、接続待ち状態において、接続待ち送信状態、接続待ち受信状態、接続要求送信状態のいずれかの状態に属している。
すなわち、無線移動端末１、２は、データ通信開始前において、まず接続待ち時間Ｔｗのタイムスロットと、接続待ち信号受信時間Ｔｒのタイムスロットとを交互に繰り返す。ここで、接続待ち時間Ｔｗのタイムスロットは、接続待ちパワーダウン時間Ｔｄのタイムスロットと、接続待ち信号送信状態のタイムスロットとをペアとした複数のタイムスロット（図１３に示す例では５つ）から構成される。
【００６５】
接続待ちパワーダウン時間Ｔｄのタイムスロットにおいて、無線移動端末１、２は、無線通信を停止する、つまり、パワーマネージメント手段１２３が無線インタフェース部１２１にパワーダウン信号を出力することで、パワーダウンして、消費電力を低減する。
また、接続待ち信号送信状態のタイムスロットにおいて、無線移動端末１、２は、接続待ち信号をブロードキャスト送信する。
【００６６】
また、接続待ち信号受信時間Ｔｒのタイムスロット（接続待ち受信状態のタイムスロット）において、無線移動端末１、２は、未接続の他の無線移動端末がブロードキャスト送信した接続待ち信号、または、未接続の他の無線移動端末が無線移動端末１に送信した接続要求信号を受信する。ただし、接続待ち受信状態において、状態遷移時点から接続待ち信号受信時間Ｔｒを経過したとき、無線移動端末１は、再び接続待ち送信状態に遷移する。
この接続待ち信号状態のタイムスロットにおいて、他の無線移動端末からの接続待ち信号を受信したとき、例えば、無線移動端末１は、他の無線移動端末２に接続要求信号を繰り返し送信し、無線移動端末２からの接続要求応答信号の受信を待つ接続要求送信状態に遷移する。
【００６７】
具体的には、無線移動端末１は、図１３に示す無線移動端末１のタイムチャートのＡ時点（タイムチャート中央の接続待ち受信状態を参照）において、接続待ち信号を受信すると、接続要求送信状態に遷移する。ここで、接続要求送信状態は、接続要求信号送信状態のタイムスロットと、接続要求応答信号受信状態のタイムスロットとをペアとした複数のタイムスロットから構成される。
接続要求信号送信状態のタイムスロットにおいて、無線移動端末１は、無線移動端末２に接続要求応答信号を送信する。この接続要求応答信号は、図１３に示す無線移動端末２のタイムチャートのＢ時点（タイムチャート中央右側の接続待ち受信状態を参照）において、受信される。そして、無線移動端末２は、無線移動端末１からの接続要求信号に対して、接続要求応答信号を送信する（図１３に示す無線移動端末２のタイムチャートのＣ時点を参照）。
【００６８】
また、接続要求応答信号受信状態のタイムスロットにおいて、無線移動端末１は、無線移動端末２が無線移動端末１に送信した接続要求信号を受信して、無線移動端末２に接続要求応答信号を送信するとともに、無線移動端末２との行うデータ通信状態に遷移する。ただし、接続要求送信状態において、接続要求送信状態への遷移から接続要求応答信号待ち時間Ｔｕが経過したとき、無線移動端末１は、接続待ち送信状態もしくは接続待ち受信状態に遷移する。
具体的には、無線移動端末１は、接続要求送信状態において、無線移動端末２に接続要求信号を送信する接続要求信号送信状態と、接続要求応答信号受信時間Ｔｓの間、無線移動端末２が送信した接続要求応答信号の受信を待つ接続要求応答信号受信状態とを交互に繰り返す。
そして、無線移動端末２から図１３に示す無線移動端末１のタイムチャートのＤ時点において、接続要求応答信号を受信すると、無線移動端末１は、無線移動端末２とのデータ通信状態に遷移する。
【００６９】
以下、それぞれの状態遷移を発火するトリガイベントについて説明する。
通信休止状態から接続待ち状態への状態遷移を発火するトリガイベントは、通信データの発生であり、接続待ち状態から通信休止状態への状態遷移を発火するトリガイベントは、通信データの消滅となる。
また、接続待ち状態からデータ通信状態への状態遷移を発火するトリガイベントは、他の無線移動端末との接続確立であり、データ通信状態から接続待ち状態への状態遷移を発火するトリガイベントは、接続中の無線移動端末との接続断の検出となる。
また、データ通信状態から通信休止状態への状態遷移を発火するトリガイベントは、データ通信の完了となる。
【００７０】
図１２は、無線移動端末１、２の接続待ち状態に関する詳細な状態遷移図である。
上述したように、無線移動端末１、２は、接続待ち状態において、さらに、詳細には、接続待ち送信状態、接続待ち受信状態、接続要求送信状態を有している。
接続待ち送信状態は、接続待ちパワーダウン状態と、接続待ち信号送信状態とから構成される。
接続待ちパワーダウン状態において、無線移動端末１、２は、無線通信を停止することによって、電力消費レベルを低下させる。
また、接続待ち信号送信状態において、無線移動端末１、２は、接続待ち信号をブロードキャスト送信する。
接続待ち送信状態において、無線移動端末１、２は、この接続待ちパワーダウン状態と、接続待ち信号送信状態との２つの状態を交互に繰り返し遷移する。
接続待ちパワーダウン状態から接続待ち信号送信状態への状態遷移を発火するトリガイベントは、接続待ちパワーダウン状態への状態遷移時点から接続待ちパワーダウン時間Ｔｄが経過することであり、接続待ち信号送信状態から接続待ちパワーダウン状態への状態遷移を発火するトリガイベントは、接続待ち信号の送信が完了することである。
また、図８と同様に、端末部ＯＮ状態から接続待ちパワーダウン状態への状態遷移を発火するトリガイベントは、端末部１００の電源ＯＦＦであり、通信状態から接続待ちパワーダウン状態への状態遷移を発火するトリガイベントは、データ通信断である。さらに、接続待ちパワーダウン状態から停止状態への状態遷移を発火するトリガイベントは、通信すべきデータがない（データ通信が不要）ことであり、接続待ちパワーダウン状態から端末部ＯＮ状態への状態遷移を発火するトリガイベントは、端末部１００の電源がＯＮ状態となることである。
【００７１】
接続待ち受信状態において、無線移動端末１、２は、未接続の他の無線移動端末がボロードキャスト送信した接続待ち信号、または、未接続の他の無線移動端末が、時無線移動端末に送信した接続要求信号を受信する。
接続要求信号を受信した場合、無線移動端末１、２は、接続要求応答信号を返信後、データ通信状態に遷移する。
【００７２】
接続要求送信状態は、接続要求信号送信状態と、接続要求応答信号受信状態とから構成される。
接続要求信号送信状態において、無線移動端末１、２は、接続待ち信号を送信した無線移動端末に接続要求信号を送信する。
また、接続要求応答信号受信状態において、接続待ち信号を送信した無線移動端末からの接続要求応答信号を受信する。接続要求応答信号を受信した場合、無線移動端末１、２は、接続要求応答信号を返信後、データ通信状態に遷移する。
接続要求送信状態において、無線移動端末１、２は、この接続要求信号送信状態と、接続要求応答信号受信状態との２つの状態を交互に繰り返し遷移する。
接続要求信号送信状態から接続要求応答信号受信状態への状態遷移を発火するトリガイベントは、接続要求信号の送信の完了であり、接続要求応答信号受信状態から接続要求信号送信状態への状態遷移を発火するトリガイベントは、接続要求応答信号受信状態への状態遷移時点から接続要求応答信号時間Ｔｓが経過することである。
【００７３】
接続待ち送信状態から接続待ち受信状態への状態遷移を発火するトリガイベントは、接続待ち時間Ｔｗが経過することであり、接続待ち受信状態から接続待ち送信状態への状態遷移を発火するトリガイベントは、接続待ち受信状態への状態遷移時点から接続待ち信号受信時間Ｔｒが経過することである。
また、接続待ち受信状態から接続要求送信状態への状態遷移を発火するトリガイベントは、接続待ち信号の受信であり、接続要求送信状態から接続待ち受信状態への状態遷移を発火するトリガイベントは、接続要求送信状態への状態遷移時点から接続要求応答信号待ち時間Ｔｕが経過することである。なお、接続要求送信状態への状態遷移時点から接続要求応答信号待ち時間Ｔｕが経過した場合、実装によっては、接続待ち送信状態へ遷移するようにしてもよい。
【００７４】
図１４は、接続要求送信状態において、接続要求応答信号待ち時間Ｔｕタイマーが終了し、待ち送信状態へ遷移する場合のフローチャートを示す。図１２に示す状態遷移では、接続要求応答信号待ち時間Ｔｕタイマーが終了したとき接続待ち受信状態に遷移するが、図１４においては、接続要求応答信号待ち時間Ｔｕタイマーが終了し、待ち送信状態へ遷移する点が異なる。
【００７５】
すなわち、接続待ち送信状態において、無線移動端末１は、まず通信すべきデータが指定されているか否かを検査し（ステップＳｂ１）、通信すべきデータがなければ（ステップＳｂ１でＮｏ）、接続待ち状態から通信休止状態へ遷移する。
一方、通信すべきデータがあれば（ステップＳｂ１でＹｅｓ）、端末部１００がＯＦＦ状態であるか否かを判断し（ステップＳｂ２−１）、ＯＦＦ状態でない場合は、端末部１００がＯＮ状態における無線通信処理を実行した後（ステップＳｂ２−２）、端末部１００がＯＦＦ状態になったことから、ステップＳｂ１へ戻り、再度、ルーチンを繰り返す。
ステップＳｂ２−２において、端末部１００がＯＦＦ状態であると判断されると（ステップＳｂ２−２でＹｅｓ）、無線移動端末１は、接続待ち送信処理を開始する（ステップＳｂ２−３）。
接続待ち送信処理を開始すると、無線移動端末１は、無線通信を停止することによって、電力消費レベルを低下させるパワーダウンと、接続待ち信号のブロードキャスト送信を接続待ち時間Ｔｗの間、交互に繰り返す。
【００７６】
接続待ち時間Ｔｗが経過すると、無線移動端末１は、接続待ち受信状態へ遷移するとともに、接続待ち信号受信時間Ｔｒタイマーをセットする（ステップＳｂ３）。
この接続待ち信号受信時間Ｔｒ内に無線移動端末２より接続要求信号を受信した場合（ステップＳｂ４でＹｅｓ）、無線移動端末１は、受信した接続要求信号が自無線移動端末１に向けて送信されたものであるか否かを接続要求信号が含む送信先無線移動端末識別情報に基づいて判定する。
そして、当該接続要求信号の送信先無線移動端末識別情報が自無線移動端末１を示す場合、無線移動端末１は、接続要求応答信号送信処理を開始する（ステップＳｂ５）。すなわち、無線移動端末１は、接続要求信号を送信した無線移動端末２に接続要求応答信号を返信するとともに、接続相手の無線移動端末２とのデータ通信処理を開始する（ステップＳｂ６）。
【００７７】
また、この接続待ち信号受信時間Ｔｒ内に接続待ち信号を受信した場合（ステップＳｂ４でＮｏ、ステップＳｂ７でＹｅｓ）、無線移動端末１は、接続要求応答信号待ち時間Ｔｕタイマーをセットするとともに、接続要求送信処理を開始する（ステップＳｂ８）。すなわち、無線移動端末１は、接続待ち信号を送信した無線移動端末２への接続要求信号送信と、無線移動端末２からの接続要求応答信号の受信待ちとを交互に繰り返し、接続要求応答信号を受信すると、接続相手の無線移動端末２とのデータ通信処理を開始する（ステップＳｂ６）。
なお、接続要求応答信号を受信する前に、接続要求応答信号待ち時間Ｔｕが経過した場合、無線移動端末１は、再度、ステップＳｂ１に戻って、Ｓｂ１〜Ｓｂ９のルーチンを繰り返す。
【００７８】
無線移動端末２より接続要求信号及び接続待ち信号を受信せず、未だ接続待ち信号受信時間Ｔｒが経過していない場合、（ステップＳｂ４、Ｓｂ７でＮｏ、Ｓｂ９でＮｏ）、無線移動端末１は、再度、ステップＳｂ４に戻って、接続要求信号、接続待ち信号の受信を待つ。
一方、無線移動端末２より接続要求信号及び接続待ち信号を受信する前に接続待ち信号受信時間Ｔｒが経過した場合、（ステップＳｂ４、Ｓｂ７でＮｏ、Ｓｂ９でＹｅｓ）、無線移動端末１は、再度、ステップＳｂ１に戻って、Ｓｂ１〜Ｓｂ９のルーチンを繰り返す。
【００７９】
なお、図１４のようにＴｕタイマーが終了後、接続待ち受信状態に遷移する場合は、記号※の部分を切って記号＊の部分に結合しなおすフローチャートとなる。すなわち、ステップＳｂ８において、Ｔｕタイマーが終了後、再度、ステップＳｂ３に戻って、Ｓｂ３〜Ｓｂ９のルーチンを繰り返す。
【００８０】
図１５は、接続待ち送信状態における処理過程を示すフローチャートを示す。
接続待ち送信状態において、無線移動端末１は、接続待ち送信処理を開始する。すなわち、無線移動端末１は、まず接続待ち時間Ｔｗタイマーをセットし（ステップＳｃ１）、パワーダウン状態値を１にセットして、パワーダウンする（ステップＳｃ２）。
パワーダウン状態において、無線移動端末１は、接続待ちパワーダウン時間Ｔｄタイマーをセットし（ステップＳｃ３）、接続待ちパワーダウン時間Ｔｄが経過するまでパワーダウンを実施する（ステップＳｃ４でＮｏのタイマーループを参照）。
接続待ちパワーダウン時間Ｔｄが経過すると（ステップＳｃ４でＹｅｓ）、無線移動端末１は、パワーダウン状態値をリセット（０にセット）して（ステップＳｃ５）、パワーダウン状態から復帰し、接続待ち信号送信処理を開始する（ステップＳｃ６）。
すなわち、無線移動端末１は、接続待ち信号をブロードキャスト送信する。
そして、接続待ち時間Ｔｗが経過すると（ステップＳｃ７でＹｅｓ）、無線移動端末１は、接続待ち送信処理を終了する。一方、ブロードキャスト送信完了後、接続待ち時間Ｔｗが未だ経過していない場合（ステップＳｃ７でＮｏ）、無線移動端末１は、再度、ステップＳｃ１１に戻って、ステップＳｃ２〜Ｓｃ１７のルーチンを繰り返す。
【００８１】
以上のステップＳｃ１〜Ｓｃ７により、無線移動端末１は、無線通信を停止して電力消費レベルを低下させるパワーダウンと、接続待ち信号のブロードキャスト送信を、接続待ち時間Ｔｗの期間、交互に繰り返す。
【００８２】
図１６は、接続要求送信状態における処理過程を示すフローチャートである。
接続要求送信状態において、無線移動端末１は、接続要求送信処理を開始する。すなわち、無線移動端末１は、まず接続要求応答信号待ち時間Ｔｕタイマーをセットする（ステップＳｄ１）とともに、接続要求応答信号受信時間Ｔｓタイマーをセットする（ステップＳｄ２）。そして、無線移動端末１は、接続要求応答信号受信時間Ｔｓが経過するまで、接続要求応答信号受信の有無を確認する（ステップＳｄ３、Ｓｄ４でＮｏのタイマーループを参照）。接続要求応答信号受信時間Ｔｓ内に、無線移動端末２より接続要求応答信号を受信した場合（ステップＳｄ３でＹｅｓ）、無線移動端末１は、接続要求送信処理を終了する。
一方、接続要求応答信号を受信せずに、接続要求応答信号受信時間Ｔｓが経過した場合（ステップＳｄ４でＹｅｓ）、無線移動端末１は、接続要求信号送信処理を開始する（ステップＳｄ５）。すなわち、無線移動端末１は、接続要求送信処理の直前に受信した接続待ち信号を送信した無線移動端末２に接続要求信号を送信する。
そして、接続要求応答信号待ち時間Ｔｕが経過すると（ステップＳｄ６でＹｅｓ）、無線移動端末１は、接続要求送信処理を終了する。一方、接続要求信号送信完了後、接続要求応答信号待ち時間Ｔｕが未だ経過していない場合（ステップＳｄ６でＮｏ）、無線移動端末１は、再度、ステップＳｄ２に戻って、ステップＳｄ２〜Ｓｄ６のルーチンを繰り返す。
【００８３】
以上説明したように、本実施形態の無線移動端末１は、接続待ち信号を送信した無線移動端末への接続要求信号送信と、無線移動端末からの接続要求応答信号の受信待ちを交互に繰り返す。そして、無線移動端末から接続要求応答信号を受信した場合は、無線移動端末と接続ができたと判断し、データ通信処理を行う。一方、接続要求応答信号待ち時間Ｔｕを経過しても接続要求応答信号を受信できなかった場合は、無線移動端末との接続が失敗したと判断し、はじめから接続待ちをやり直す。
【００８４】
次に、データ通信状態の固定基地局１０（具体的には、固定基地局１０とネットワークで接続されたコンテンツファイルサーバ  以後、コンテンツファイルサーバを固定基地局１０と呼ぶ）からデータ通信状態の携帯情報端末１に対し、携帯情報端末１が要求したコンテンツファイルのブロックを送信する場合における、携帯情報端末１の動作について説明する。
図１７は、図４の通信形態において、無線通信部１２０が通信状態のときにコンテンツファイルのダウンロードを実行する場合におけるコンテンツファイルの構成及びデータ通信フレームの構成を示す。
図１７に示すように、コンテンツファイルは、Ｎ個のデータブロックから構成され、識別のためのコンテンツＩＤが与えられる。１つのコンテンツファイルを構成するＮ個のブロックは、順番に番号が付けられている。各ブロック♯１〜♯Ｎは、図１７に示すように、ブロック番号（１〜Ｎ）、ブロック（コンテンツデータ）、誤り・訂正符号を含むフレームとして構成される。すなわち、携帯情報端末１は、番号に従ってブロックを結合することにより、コンテンツファイルを得る。
【００８５】
データ通信の流れを以下に示す。
（１）携帯情報端末１が固定基地局１０に、要求するコンテンツファイルのコンテンツＩＤとブロック番号を通知する。なお、携帯情報端末１は、コンテンツＩＤとブロック番号を既に知っているものとする。
（２）固定基地局１０は、携帯情報端末１から要求されたコンテンツファイル（コンテンツＩＤとブロック番号によって指定されたデータ）を、携帯情報端末１に送信する。
（３）携帯情報端末１は、受信したコンテンツのブロックを記憶する。
（４）携帯情報端末１は、要求したコンテンツのすべてのブロックを受信した場合、そのコンテンツファイルに対するデータ通信を完了したと判断する。未受信のブロックがある場合には、通信断と判断する。
なお、携帯情報端末１が要求するコンテンツファイルのブロック数Ｎを予め知らない場合、すなわち、携帯情報端末１が要求するブロック番号を固定基地局１０に通知しなかった場合、固定基地局１０は、例えば、各ブロックの送信に先立って、ブロック数を携帯情報端末１に通知し、携帯情報端末１は、通知されたブロック数に基づいて、通信完了、通信断を判断する。
【００８６】
以上説明したように、本実施形態の携帯情報端末１、固定基地局１０によれば、コンテンツファイルをブロックに分割し、携帯情報端末１が固定基地局１０に必要とするブロック番号を通知するため、固定基地局１０と携帯情報端末１間のデータ通信が途中で途絶えたとき、ダウンロード再開時に携帯情報端末１が未受信のブロックのみを選択してダウンロードする。
したがって、再開時におけるダウンロード時間を短縮することができる効果が得られる。
また、サイズの大きいコンテンツで、携帯情報端末１が通信可能エリアを通過する時間よりも、ダウンロード時間が長くなる場合であっても、携帯情報端末１が通信可能エリアを複数回通過することにより、ダウンロードを完了させることができる効果が得られる。
【００８７】
また、固定基地局１０は、各ブロックをデータ通信のフレームに格納し、携帯情報端末１に送信する。フレームは、そのフレームが格納するブロックのブロック番号と、通信時に発生したフレーム内の誤りを検出・訂正する誤り検出・訂正符号を付与する。この場合、各ブロック長やフレーム長は固定長であることにより、誤り訂正方法（BCH符号やリードソロモン符号など）が簡易化される。
携帯情報端末１は、受信したフレーム毎に、誤り検出・訂正符号を利用して誤り検出（または誤り訂正）を実行し、誤りがなかったフレームのブロックを、そのブロック番号とともに記憶する。
固定基地局１０とのデータ通信の終了後、受信できなかったブロックがある場合（誤り検出を行い誤りが見つかった場合や、誤り訂正符号の誤り訂正能力を越えた誤りが見つかった場合を含む）は、再送を要求する応答信号を携帯情報端末１から固定基地局１０に送信する。
【００８８】
したがって、初回のダウンロードで一部のブロックしか受信できなかった携帯情報端末１も、複数回のダウンロードにより、コンテンツを完成させるためのすべてのブロックを受信することができる効果が得られる。なお、データ通信中に通信断となった場合、再度固定基地局１０との接続を試みるため、無線通信部１２０が接続待ち状態に遷移する。
なお、本実施形態では、図４の通信形態の場合（固定基地局１０と携帯情報端末１間でのコンテンツファイルのダウンロード）を示しているが、図５の通信形態の場合（携帯情報端末同士間のコンテンツファイルのダウンロード）においても同様の方法を採用することが可能である。
【００８９】
図１８は、無線通信部１２０がコンテンツファイルのダウンロードを実行する場合における固定基地局１０のブロック送信処理過程のフローチャートを示す。
固定基地局１０は、携帯情報端末１との接続を確立し、データ通信の開始を受けて、携帯情報端末１から、コンテンツファイル要求（コンテンツＩＤとブロック番号の通知）を受けると（ステップＳｆ１）、コンテンツＩＤをキーとして、該当するコンテンツファイルを記憶部に格納しているか否かを検索する（ステップＳｆ２）。
該当するコンテンツファイルを格納していない場合（ステップＳｆ３でＮｏ）、固定基地局１０は、該当するコンテンツファイルを格納していないことを示す信号、例えば、ブロック数＝０とした通信データを携帯情報端末１に送信し、通信断となる（ステップＳｆ４）。
【００９０】
一方、該当するコンテンツファイルを格納している場合（ステップＳｆ３でＹｅｓ）、固定基地局１０は、携帯情報端末１から未受信のブロック番号が指定されているか否かを確認する（ステップＳｆ５）。携帯情報端末１から未受信のブロック番号が指定されていない場合（ステップＳｆ５でＮｏ）、固定基地局１０は、指定されたコンテンツファイルを構成するブロック数Ｎを携帯情報端末１に送信する。一方、未受信のブロック番号が指定されている場合（ステップＳｆ５でＹｅｓ）、携帯情報端末１はブロック数Ｎを既に知っているため、固定基地局１０はブロック数Ｎを送信しない。
【００９１】
次に、固定基地局１０は、変数ｉを１にセットし（ステップＳｆ７）、送信すべきブロック数Ｎと変数ｉとを比較する（ステップＳｆ８）。
変数ｉがブロック数Ｎ以下であれば（ステップＳｆ８でＹｅｓ）、固定基地局１０は、ブロック♯ｉが指定されたブロック番号に含まれるかを検索し（ステップＳｆ９）、含まれていれば（ステップＳｆ９でＹｅｓ）、ブロック♯ｉを要求されたブロックであるとして、携帯情報端末１に送信する（ステップＳｆ１０）。一方、ブロック♯ｉが指定されたブロック番号に含まれていない場合（ステップＳｆ９でＮｏ）、固定基地局１０は、送信ステップＳｆ１０をスキップする。なお、ステップＳｆ６において、ブロック番号を携帯情報端末１に送信している場合（ステップＳｆ６でＮｏ）、固定基地局１０は、全ブロックが携帯情報端末１によって要求されたものとし、ステップＳｆ９をスキップして、強制的にブロック♯ｉを送信する（ステップＳｆ１０）
そして、固定基地局１０は、変数ｉを１インクリメントして、ステップＳｆ８に戻って、Ｓｆ８〜Ｓｆ１１のルーチンを繰り返し実行する。
そして、変数ｉがブロック数Ｎを上回った場合（ステップＳｆ８でＮｏ）、データ通信を完了したと判定する。
【００９２】
図１９は、無線通信部１２０がコンテンツファイルのダウンロードを実行する場合における無線通信部１２０のブロック受信処理過程のフローチャートを示す。
携帯情報端末１は、固定基地局１０との接続を確立し、データ通信の開始を受けて、通信データ記憶部１３０に書き込まれたコンテンツＩＤのコンテンツファイルを構成する受信済みのブロックがあるか否かを検索し（ステップＳｇ１）、受信済みのブロックがある場合（ステップＳｇ１でＹｅｓ）、コンテンツＩＤと未受信のブロック番号を送信する（ステップＳｇ２）。一方、受信済みのブロックがない場合（ステップＳｇ１でＮｏ）、携帯情報端末１は、まずコンテンツＩＤを送信する（ステップＳｇ３）。そして、固定基地局１０が、コンテンツＩＤ受信を受けて、返信するブロック数Ｎを受信し（ステップＳｆ６  ステップＳｇ４）、送受信すべきブロック数Ｎを得る。
【００９３】
次に、携帯情報端末１は、コンテンツＩＤおよび未受信のブロック番号を送信した後（ステップＳｇ２）、あるいは、コンテンツＩＤのみを送信し（ステップＳｇ３）、固定基地局１０からブロック数Ｎを受信した後（ステップＳｇ４）、一定時間Ｔｖのタイマーを開始し（ステップＳｇ５）、次いで、ブロックの受信があったか否かを判断する（ステップＳｇ６）。そして、ブロックの受信がない場合はＴｖタイマが終了したか否かを判断する（ステップＳｉ７）。そして、Ｔｖタイマーの時間経過前において、固定基地局１０からブロックを受信した場合（ステップＳｉ６でＹｅｓ、Ｓｉ７でＮｏ）、受信したブロックを通信データ記憶部１３０に記憶させる（ステップＳｇ８）。
この場合、携帯情報端末１は、受信したフレーム毎に、誤り検出・訂正符号を利用して誤り検出（または誤り訂正）を実施し、誤りがなかったフレームのブロックを、そのブロック番号と共に通信データ記憶部１３０に記憶する。
【００９４】
次いで、携帯情報端末１は、ステップＳｇ５へ戻り、Ｔｖタイマーを再び開始し、Ｔｖタイマーの時間内に固定基地局１０からブロックを受信した場合、受信したブロックを通信データ記憶部１３０に記憶させ（ステップＳｇ８）、同じ処理を繰り返す。
一方、Ｔｖタイマーの時間内にブロックの受信がなかった場合（ステップＳｉ６でＮｏ、Ｓｉ７でＹｅｓ）、受信済みブロックを調査し（ステップＳｇ９）、全ブロックの受信が完了していた場合は（ステップＳｇ１０がＹｅｓ）、データ通信の完了と判断する。
また、全ブロックの受信が完了していない場合（ステップＳｇ１０がＮｏ）、通信断と判断する。
【００９５】
以上説明したように、本実施形態の携帯情報端末１によれば、通信に関与しない端末部１００がＯＦＦ状態であっても、データ通信を行う相手（固定基地局１０、他の携帯情報端末２）を見つけたとき、予め通信データ記憶部１３０に保持された送信データを相手に送信する。また、同様に、相手から受信した受信データを通信データ記憶部１３０が保持する。
これにより、本実施形態の携帯情報端末１によれば、データ処理手段や表示手段や操作手段などを有する、電力消費が大きいが無線通信に関与しない端末部１００を、ＯＦＦ状態にしたままでコンテンツダウンロードやメールの送受信などを行う。
したがって、携帯情報端末１の電池電源の電力消費を低減することができる効果が得られる。
さらに、本実施形態の携帯情報端末１によれば、データ通信を行う相手を見つける待ち受け状態と、見つけた相手とデータ通信を行う通信状態と、データ通信を完了した後など、データ通信行う必要がない停止状態との各々の状態に応じたパワーマネージメントを行う。
したがって、無線通信部１２０や通信データ記憶部１３０の消費電力を低減することができる効果が得られる。
【００９６】
このように、本実施形態の携帯情報端末１によれば、予め特定されない時間と場所において、所定のデータの通信を行う場合、携帯情報端末１における電力消費を大幅に低減することができる効果を有する。
【００９７】
上述の携帯情報端末１、固定基地局１０は、内部に、コンピュータシステムを有している。
そして、上述したデータ送受信処理、パワーマネージメント処理に関する一連の処理の過程は、プログラムの形式でコンピュータ読み取り可能な記録媒体に記憶されており、このプログラムをコンピュータが読み出して実行することによって、上記処理が行われる。
すなわち、携帯情報端末１、固定基地局１０における、各処理手段、処理部は、ＣＰＵ等の中央演算処理装置がＲＯＭやＲＡＭ等の主記憶装置に上記プログラムを読み出して、情報の加工・演算処理を実行することにより、実現されるものである。
ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【００９８】
【図１】携帯情報端末１の第１の実施形態における構成図。
【図２】携帯情報端末１の第２の実施形態における構成図。
【図３】第１、２の実施形態の携帯情報端末１の外観図。
【図４】携帯情報端末１と固定基地局１０との間で行われるデータ通信例。
【図５】複数の携帯情報端末１間で行われるデータ通信例。
【図６】端末部１００、無線通信部１２０の状態遷移図。
【図７】無線通信部１２０の状態遷移の例を示すタイムチャート。
【図８】固定基地局１０の状態遷移図。
【図９】携帯情報端末１と固定基地局１０との間の送受信信号を示すタイムチャート。
【図１０】固定基地局１０の動作フローチャート。
【図１１】携帯情報端末１の動作フローチャート。
【図１２】携帯情報端末１、２の状態遷移図。
【図１３】無線移動端末１が地点Ａから地点Ｄへ、無線移動端末２が地点Ａ’から地点Ｄ’へ移動する間における状態遷移及び信号送受信タイミングを示すタイムチャート
【図１４】接続要求送信状態において、接続要求応答信号待ち時間Ｔｕタイマーが終了し、待ち送信状態へ遷移する場合のフローチャート。
【図１５】接続待ち送信状態における処理過程を示すフローチャート。
【図１６】接続要求送信状態における処理過程を示すフローチャート。
【図１７】コンテンツファイル、データ通信フレームの構成図。
【図１８】固定基地局１０のブロック送信処理過程のフローチャート。
【図１９】無線通信部１２０のブロック受信処理過程のフローチャート。
【符号の説明】
【００９９】
１、２…携帯情報端末
３…端末機器
４…無線カード
１００…端末部
１０１…データ処理部
１０２…表示部
１０３…操作部
１０４…記憶部
１１０…電源部
１２０…無線通信部
１２１…無線インタフェース部
１２２…無線信号処理部
１２３…パワーマネージメント手段
１３０…通信データ記憶部
【図１】
2005057428.tif 000003
【図２】
2005057428.tif 000004
【図３】
2005057428.tif 000005
【図４】
2005057428.tif 000006
【図５】
2005057428.tif 000007
【図６】
2005057428.tif 000008
【図７】
2005057428.tif 000009
【図８】
2005057428.tif 000010
【図９】
2005057428.tif 000011
【図１０】
2005057428.tif 000012
【図１１】
2005057428.tif 000013
【図１２】
2005057428.tif 000014
【図１３】
2005057428.tif 000015
【図１４】
2005057428.tif 000016
【図１５】
2005057428.tif 000017
【図１６】
2005057428.tif 000018
【図１７】
2005057428.tif 000019
【図１８】
2005057428.tif 000020
【図１９】
2005057428.tif 000021